(57)【要約】【課題】微生物を利用した生ゴミ処理機において、多量の水分を含む生ゴミを投入した場合に、水分過多となり、臭気が増大すること。【解決手段】撹拌手段４、５を有し微生物担体６を内装すると共に前記微生物で生ゴミ１９を分解処理する微生物処理槽２と、微生物処理槽２の入口側に設けられ、投入された生ゴミ１９を滞留する滞留装置７と、滞留装置７に滞留される生ゴミ１９に対して外気を当てる送風手段１３とを備える構成とした。これにより、水切りが十分でない水分の多い生ゴミが投入されても滞留装置７で事前の乾燥処理が可能となり、微生物担体６等が水分過多となることがなく、臭気の発生の少ない、より安定した分解性能を有する生ゴミ処理装置が実現できるものである。【選択図】　図１
2004130187.tif 000002
【特許請求の範囲】
【請求項１】
撹拌手段を有し微生物担体を内装すると共に前記微生物で生ゴミを分解処理する微生物処理槽と、前記微生物処理槽の入口側に設けられ、投入された生ゴミを滞留する滞留装置と、前記滞留装置に滞留される生ゴミに対して外気を当てる送風手段とを備えた生ゴミ処理機。
【請求項２】
微生物処理槽の入口側は上部に設定し、滞留装置は、投入された生ゴミを載置する滞留板と、前記滞留板を水平、傾斜もしくは反転の方向へ回転させる回転支持軸とを備えた請求項１記載の生ゴミ処理機。
【請求項３】
滞留板を回転駆動する回転駆動装置と送風手段とを制御手段に接続した請求項２記載の生ゴミ処理機。
【請求項４】
送風手段により、所定時間の送風をした後、滞留板を回転させて、前記滞留板に載置された生ゴミを微生物処理槽に移動する請求項２または３記載の生ゴミ処理機。
【請求項５】
滞留板に複数の通気孔を設け、送風手段は、前記通気孔を介して、前記滞留板に載置された生ゴミに外気を当てる請求項２記載の生ゴミ処理機。
【請求項６】
滞留板の生ゴミ載置面と相反する面に、送風手段および通気孔とに連通した均圧室を設けた請求項５記載の生ゴミ処理機。
【請求項７】
送風手段を滞留板の回転支持軸近傍に配置した請求項２記載の生ゴミ処理機。
【請求項８】
回転支持軸を中空にし、前記回転支持軸を、送風手段および通気孔とに連結または均圧室と連結した請求項６記載の生ゴミ処理機。
【発明の詳細な説明】
【０００１】
【発明の属する技術分野】
本発明は主として家庭用又は業務用の廃棄物を減容、減量処理する生ゴミ処理機に関するものである。
【０００２】
【従来の技術】
従来の生ごみを減量したり、減容したりする生ごみ処理装置について説明する（例えば、特許文献１参照）。図５は従来の生ゴミ処理装置の断面図を示す。
【０００３】
図５に示すように、生ゴミ処理機本体４０内に微生物の生息場所となるオガクズ等の微生物担体４１を入れた微生物処理槽４２と、投入された生ゴミ４３と微生物担体４１とを混合、撹拌するための回転撹拌棒４４及びその駆動装置４５を有し、投入された生ゴミ４３を微生物により最終的には二酸化炭素と水、その他に分解し、生ゴミ４３を減量、減容するもので、微生物処理槽４２内の温度を適正に保つための加熱手段４６、酸素（空気）を供給するための送風装置４７、それらの制御を行う制御手段（図示せず）を備え、微生物の働きにより生ゴミ等の廃棄物を分解し減量、減容するいわゆるバイオ式生ゴミ処理機といわれる装置が一般的に知られている。
【０００４】
【特許文献１】
特開平５−４６２３９号公報
【０００５】
【発明が解決しようとする課題】
しかしながら、前記従来の技術で述べたバイオ式生ゴミ処理機にあっては、湿潤な生ゴミ４３の連続投入があった時などに、微生物処理槽４２が水分過多となり、嫌気性細菌が優位になることにより、分解生成物が強い臭気を発するという課題を有していた。
【０００６】
本発明は、前記従来の課題を解決するもので、臭気の発生の少ない、使い勝手の良い生ゴミ処理機を実現するものである。
【０００７】
【課題を解決するための手段】
前記従来の課題を解決するために、本発明の生ゴミ処理機は、撹拌手段を有し微生物担体を内装すると共に前記微生物で生ゴミを分解処理する微生物処理槽と、前記微生物処理槽の入口側に設けられ、投入された生ゴミを滞留する滞留装置と、前記滞留装置に滞留される生ゴミに対して外気を当てる送風手段とを備える構成とした。これにより、生ゴミ等の廃棄物を事前に乾燥処理してから微生物処理槽の微生物担体中に投入することによって、臭気の発生の少ない、使い勝手の良い生ゴミ処理機を実現するものである。
【０００８】
【発明の実施の形態】
請求項１に記載の発明は、撹拌手段を有し微生物担体を内装すると共に前記微生物で生ゴミを分解処理する微生物処理槽と、前記微生物処理槽の入口側に設けられ、投入された生ゴミを滞留する滞留装置と、前記滞留装置に滞留される生ゴミに対して外気を当てる送風手段とを備える構成としたもので、水切りが十分でない水分の多い生ゴミであっても事前の乾燥処理ができ、より安定した分解性能を有する生ゴミ処理装置が実現するものである。
【０００９】
請求項２に記載の発明は、請求項１に記載の発明に加えて、微生物処理槽の入口側は上部に設定し、滞留装置は、投入された生ゴミを載置する滞留板と、前記滞留板を水平、傾斜もしくは反転の方向へ回転させる回転支持軸とを備えたもので、生ゴミの滞留と投入をスムーズに実現できるものである。
【００１０】
請求項３に記載の発明は、特に、請求項２に記載の滞留板を回転駆動する回転駆動装置と送風手段とを制御手段に接続したもので、生ゴミを滞留板上で乾燥し投入する過程がすべて制御手段によって行えるので、より簡便に　より確実に安定した分解性能を有する生ゴミ処理装置が実現するものである。
【００１１】
請求項４に記載の発明は、特に、請求項２または３に記載の送風手段により、所定時間の送風をした後、滞留板を回転させて、前記滞留板に載置された生ゴミを微生物処理槽に移動するので、乾燥から微生物処理槽への投入まで、一連の動作として連続して行えるため、より確実に安定した分解性能を有する生ゴミ処理装置が実現するものである。
【００１２】
請求項５に記載の発明は、特に、請求項２に記載の滞留板に複数の通気孔を設け、送風手段は、前記通気孔を介して、前記滞留板に載置された生ゴミに外気を当てるもので、生ゴミを所定の乾燥度合いまで、乾かすための効率が上がり、早い処理が可能となり、送風時間より効率が良く、しかも安定した分解性能を有する生ゴミ処理装置が実現するものである。
【００１３】
請求項６に記載の発明は、特に、請求項５に記載の滞留板の生ゴミ載置面と相反する面に、送風手段および通気孔とに連通した均圧室を設けたので、複数の通気孔からより均等な流速で送風できるもので、滞留された生ゴミ全体を平均的に乾燥することができ、安定した分解性能を有する生ゴミ処理装置が実現するものである。
【００１４】
請求項７に記載の発明は、特に、請求項２に記載の送風手段を、滞留板の回転支持軸近傍に配置したもので、送風手段の移動等を最小限に抑えることで、より簡便な構造で、安定した分解性能を有する生ゴミ処理装置が実現するものである。
【００１５】
請求項８に記載の発明は、特に、請求項６に記載の回転支持軸を中空にし、前記回転支持軸を、送風手段および通気孔とに連結または均圧室と連結することによって、特別な配管等を必要とせず、より簡便な構造で、送風が可能となるもので、より効率の良い送風と、汚れなどに対するメンテナンス性を向上し、なおかつ安定した分解性能を有する生ゴミ処理装置が実現するものである。
【００１６】
【実施例】
以下本発明の実施例について、図面を参照しながら説明する。
【００１７】
（実施例１）
図１は、本発明の実施例１における生ゴミ処理機の断面図を、図２は同生ゴミ処理機の斜視図を、図３は同生ゴミ処理機の滞留板の断面図を、それぞれ示すものである。
【００１８】
図１〜図３において、１は生ゴミ処理機本体（以下、本体と称す）である。２は本体１の内部に配置された微生物処理槽である。微生物処理槽２内には制御装置３に接続された撹拌モータ４により回転駆動される撹拌翼５が配置され、微生物処理槽２内に投入された生ゴミ１９、あるいはおがくず等の微生物担体６を撹拌するものである。前記撹拌モータ４と撹拌翼５は撹拌手段を構成している。７は微生物処理槽２の入口側（上部）に設けた滞留装置ある。滞留装置７は生ゴミを一時載置する滞留板８とその背面に一体化した均圧室９および回転支持軸１０よりなる。１１は滞留板８の表面に配設された通気孔にして、均圧室９に連通している。１２は回転支持軸１０の内部に設けた送風路であって、回転支持軸１０の軸方向に貫通し、一方は均圧室９に他方は微生物処理槽２外に配置された送風手段１３に接続されている。１４は前記回転支持軸１０と略一体に固定された回転駆動装置にして、駆動−停止することで、滞留装置７を回転−停止させる。
【００１９】
１５、１６は滞留装置７の上位置検出装置、下位置検出装置にして、上位置検出装置１５が滞留装置７の滞留板８が上方を向いた位置を、下位置検出装置１６が滞留装置７の滞留板８が下方を向いた位置を検出するもので、ともに前記制御装置３に接続されている。送風手段１３および回転駆動装置１４はともに前記制御装置３に接続され、制御されるものである。１７は本体蓋にして開閉自在に本体に取り付けられ、前記微生物処理槽２の上方面を形成する。１８は蓋検出スイッチにして前記制御装置３に接続され、本体蓋１７の開閉を検知する。
【００２０】
以上の構成において、その動作を説明する。図４は本実施例の動作を表したフローチャートである。
【００２１】
本発明の生ゴミ処理機は定期的に微生物処理槽２に内装された微生物担体６や生ゴミ１９およびその分解生成物を撹拌翼５で撹拌し、温度を調整する動作を自動的に繰り返して、微生物処理槽２内の微生物担体６や生ゴミ１９あるいはその分解生成物が一定の環境条件にあるように調整されている。
【００２２】
図４において、使用者が本体蓋１７を開けて（Ｓ００１）生ゴミ１９を投入すると（Ｓ００２）、投入された生ゴミ１９は、予め略水平位置に保持されている滞留板８上に投下される。その後本体蓋１７を閉じ（Ｓ００３）、同時に制御装置３は送風手段１３を運転する（Ｓ００４）。送風手段１３からの送風は接続された回転支持軸１０内を通って均圧室９へ流入（Ｓ００５）した後、通気孔１１を通って生ゴミ１９に吹き付けられる（Ｓ００６）。この送風によって生ゴミ１９の水分は減少し、乾燥されるものである（Ｓ００７）。
【００２３】
続いて、所定時間の送風の後、送風手段１３は停止する（Ｓ００８）。制御装置３は回転駆動装置１４を駆動し（Ｓ００９）、下位置検出装置１６が検知する位置で停止する。つまり、下位置検出装置１６によって滞留板８は傾斜もしくは裏返えった位置まで回転する。この回転によって滞留板８上に載置されていた生ゴミ１９は落下し（Ｓ０１０）、下方にある微生物担体６や生ゴミ、およびその分解生成物の上に載り、その後順次撹拌され、微生物担体６等に混ぜ込まれていく（Ｓ０１１）。続いて、滞留板８は回転駆動装置１４によって回転し（Ｓ０１２）、上位置検出装置１５が検出する位置、すなわち略水平位置まで回動し、停止する（Ｓ０１３）。
【００２４】
この操作によって生ゴミ１９は微生物担体６や生ゴミあるいはその分解生成物内で、微生物によりさらに分解処理されていくものである。
【００２５】
以上述べたように、投入された生ゴミ１９を一時滞留する滞留装置７を設け、滞留装置７に滞留される生ゴミ１９に対して送風手段１３により外気を当てることによって、例えば水切りが十分でない生ゴミや、元々の素材が水分の多い生ゴミなどの場合であっても、使用者が特に気を使わなくても送風によって、投下される水分量を削減できるもので、過剰な水分が微生物担体６や生ゴミあるいはその分解生成物内に入ることを防止でき、結果として、より安定した分解性能を有する生ゴミ処理装置が実現できるものである。
【００２６】
なお、本実施例で説明した滞留板８等の回転角度に関しては、滞留板８より生ゴミ１９が滑落する角度以上の角度であれば良く、必ずしも９０°や１８０°などの大きな角度である必要はない。
【００２７】
【発明の効果】
以上のように、請求項１〜８に記載の発明によれば、過剰な水分が、微生物担体や生ゴミあるいはその分解生成物内に入ることを防止でき、結果として、より安定した分解性能を有する生ゴミ処理装置が実現できるものである。
【図面の簡単な説明】
【図１】本発明の実施例１における生ゴミ処理機の断面図
【図２】同生ゴミ処理機の斜視図
【図３】同生ゴミ処理機の滞留板の断面図
【図４】同生ゴミ処理機における生ゴミの処理工程を示すフローチャート
【図５】従来の生ゴミ処理機の構成図
【符号の説明】
１　生ゴミ処理機本体
２　微生物処理槽
３　制御装置
４　撹拌モータ（撹拌手段）
５　撹拌翼（撹拌手段）
６　微生物担体
７　滞留装置
８　滞留板
９　均圧室
１０　回転支持軸
１１　通気孔
１３　送風手段
１４　回転駆動装置
１９　生ゴミ
【図１】
2004130187.tif 000003
【図２】
2004130187.tif 000004
【図３】
2004130187.tif 000005
【図４】
2004130187.tif 000006
【図５】
2004130187.tif 000007